(57)【要約】【課題】  チューブ内の染毛剤を最後まで絞り出すのが容易な染毛具を提供する。【解決手段】染毛用塗布具２１の柄部２２の先端には挟持溝２５が長孔状に透設されている。この挟持溝２５は柄部２２の先端から同柄部２２の長手方向に沿って設けられている。そして、チューブの胴部が挟持溝２５内に完全に挿入されたとき、該胴部の周面が両挟持側面２５ａ，２５ａに挟持されるようになっている。【選択図】      図１
2005160537.tif 000002
【特許請求の範囲】
【請求項１】
一端に注出部を備えたチューブと、該チューブ内の染毛剤を毛髪に塗布する染毛用塗布具とを備えた染毛具であって、
前記染毛用塗布具は、柄部と、該柄部の先端部に設けられる塗布部と、柄部又は塗布部に透設された挟持長孔とを有し、
該挟持長孔は、チューブの他端部周面を挟持する一対の挟持側面を備えていることを特徴とする染毛具。
【請求項２】
前記塗布部を複数の櫛歯を備えた櫛部から構成したことを特徴とする請求項１に記載の染毛具。
【請求項３】
前記挟持長孔を柄部の先端部に設けるとともに、該挟持長孔の一端を柄部の先端部端縁に開口したことを特徴とする請求項１又は請求項２に記載の染毛具。
【請求項４】
前記挟持長孔を隣接する一対の櫛歯の間に設けたことを特徴とする請求項２に記載の染毛具。
【請求項５】
前記挟持長孔の開口端部に、一方の挟持側面から他方の挟持側面に向けて突出する抜止部を備えたことを特徴とする請求項３又は請求項４に記載の染毛具。
【発明の詳細な説明】
【技術分野】
【０００１】
本発明は、例えば、染毛剤が充填されたチューブと、柄部に櫛部を備えた染毛用塗布具とからなる染毛具に関するものである。
【背景技術】
【０００２】
従来より、この種の染毛具の染毛用塗布具としては、以下に示すものが知られている（例えば特許文献１参照）。すなわち、同染毛用塗布具は、柄部、該柄部の上部一側に一体形成された櫛部及び該櫛部の反対側において取り外し可能に取り付けられる刷毛部により構成されている。そして、この染毛用塗布具を用いて染毛剤を毛髪に塗布する際、チューブ内の染毛剤の残量が僅かである場合には同チューブを折り曲げる等して染毛剤を絞り出す操作が必要である。
【特許文献１】特開２０００−１６６６３５号公報
【発明の開示】
【発明が解決しようとする課題】
【０００３】
ところが、上記従来の様に、チューブを折り曲げる等して染毛剤を絞り出す場合には、相当の力を要するとともに、時間がかかるものであり、染毛剤を最後まで絞り出すことが困難であった。
【０００４】
本発明は、このような従来技術に存在する問題点に着目してなされたものである。その目的とするところは、チューブ内の染毛剤を最後まで絞り出すのが容易な染毛具を提供することにある。
【課題を解決するための手段】
【０００５】
上記の目的を達成するために、請求項１に記載の発明の染毛具は、一端に注出部を備えたチューブと、該チューブ内の染毛剤を毛髪に塗布する染毛用塗布具とを備えた染毛具であって、前記染毛用塗布具は、柄部と、該柄部の先端部に設けられる塗布部と、柄部又は塗布部に透設された挟持長孔とを有し、該挟持長孔は、チューブの他端部周面を挟持する一対の挟持側面を備えていることを要旨とする。
【０００６】
請求項２に記載の発明の染毛具は、請求項１に記載の発明において、前記塗布部を複数の櫛歯を備えた櫛部から構成したことを要旨とする。
請求項３に記載の発明の染毛具は、請求項１又は請求項２に記載の発明において、前記挟持長孔を柄部の先端部に設けるとともに、該挟持長孔の一端を柄部の先端部端縁に開口したことを要旨とする。
【０００７】
請求項４に記載の発明の染毛具は、請求項２に記載の発明において、前記挟持長孔を隣接する一対の櫛歯の間に設けたことを要旨とする。
請求項５に記載の発明の染毛具は、請求項３又は請求項４に記載の発明において、前記挟持長孔の開口端部に、一方の挟持側面から他方の挟持側面に向けて突出する抜止部を備えたことを要旨とする。
【発明の効果】
【０００８】
本発明の染毛具によれば、チューブ内の染毛剤を最後まで絞り出すのが容易である。
【発明を実施するための最良の形態】
【０００９】
以下、本発明の最良の実施形態を図面に基づいて詳細に説明する。
図１及び図２に示すように、本実施形態における染毛具は、内部に染毛剤が充填されたチューブ１１と、該チューブ１１内の染毛剤を毛髪に塗布する染毛用塗布具２１とを備えている。
【００１０】
図２に示すように、チューブ１１は、アルミニウム製の胴部１２を有し、該胴部１２内に染毛剤が充填されている。この胴部１２の一端には染毛剤が注出される注出部１３が設けられるとともに、他端には胴部１２を閉塞する閉塞部１４が設けられている。
【００１１】
図１に示すように、染毛用塗布具２１は、長四角板状をなす柄部２２と、該柄部２２の先端部に設けられた塗布部としての櫛部２３及び刷毛部２４とから構成されている。なお、柄部２２及び櫛部２３は、ポリプロピレン（ＰＰ）樹脂、アクリロニトリル／ブタジエン／スチレン樹脂（ＡＢＳ樹脂）、アクリロニトリル／スチレン樹脂（ＡＳ樹脂）、ポリスチレン（ＰＳ）樹脂等の可撓性を有する合成樹脂より形成されている。
【００１２】
該染毛用塗布具２１の柄部２２の先端には挟持長孔としての挟持溝２５が長孔状に透設されている。この挟持溝２５は柄部２２の先端から同柄部２２の長手方向に沿って設けられている。すなわち、挟持溝２５の一端が柄部２２の先端縁に開口されている。この挟持溝２５は相対向する一対の挟持側面２５ａを備えている。これら挟持側面２５ａは、柄部２２の長手方向に沿って直線状且つ平行に配置されている。
【００１３】
該挟持溝２５の開口端から同挟持溝２５の端面２５ｂまでの長さは、前記チューブ１１の胴部１２他端部の幅と略同一又はそれ以上に設定されている。また、挟持溝２５の幅、つまり挟持側面２５ａ間の間隔は、胴部１２の閉塞部１４の厚さとほぼ同じに設定されている。すなわち、挟持溝２５の幅は、胴部１２の閉塞部１４が挟持溝２５内に挿脱可能な厚みを有している。そして、上記挟持溝２５にチューブ１１の胴部１２他端部が挿入されたとき、胴部１２の他端部周面が両挟持側面２５ａ，２５ａに挟持されるようになっている。
【００１４】
前記挟持溝２５の開口端部には側面三角形状に形成された抜止部２６が設けられている。該抜止部２６は、一方の挟持側面２５ａから他方の挟持側面２５ａに向けて突出するように形成されている。図３に示すように、抜止部２６の頂部２６ａを境界として挟持溝２５外方に位置する抜止部２６の挿入ガイド面２６ｂは、前記チューブ１１の胴部１２他端部の挿入を容易とするため前記挟持側面２５ａに対して４５°未満の角度で緩やかに傾斜する形状をなしている。一方、抜止部２６の頂部２６ａを境界として挟持溝２５内方に位置する抜止部２６の係合面２６ｃは、挟持溝２５内に挿入されたチューブ１１の胴部１２の抜け止めを容易とするため前記挿入ガイド面２６ｂよりも大きく傾斜する形状（前記挟持側面２５ａに対して４５°を超える角度で傾斜）をなしている。
【００１５】
抜止部２６の頂部２６ａと、これに対向する挟持側面２５ａとの間には僅かな隙間が設けられ、この隙間部分が前記チューブ１１の胴部１２他端部を挿入する挿入口部２７となっている。該挿入口部２７の幅は前記チューブ１１の閉塞部１４の厚みよりも幅狭となっている。
【００１６】
また図１に示すように、前記柄部２２の先端部には櫛部２３が設けられている。該櫛部２３は、柄部２２の先端から所定間隔をおいて設けられる複数の櫛歯２３ａを備えている。一方、上記挟持溝２５を中心とした櫛部２３の略対称位置には刷毛部２４が設けられている。該刷毛部２４は、柄部２２の先端部外側面に沿って取着された複数の細毛２４ａを備えている。この刷毛部２４の細毛２４ａの材料としては、直鎖状低密度ポリエチレン、低密度ポリエチレン、高密度ポリエチレン、ポリプロピレン、ナイロン等が挙げられる。さらに、柄部２２の中央部には、滑り規制手段としての指掛け突部２８が長手方向に所定間隔をおいて複数（本実施形態では７つ）バーコード状に突設されている。
【００１７】
さて、チューブ１１内の染毛剤の残量が僅かであるときには、該染毛剤を絞り出す操作を行う。この場合には、まず図２に示すように、前記挿入口部２７を通じてチューブ１１の胴部１２他端部を挟持溝２５内に挿入する。このとき、柄部２２を構成する合成樹脂の可撓性により挟持溝２５の開口端部が押し広げられ、挿入口部２７の幅が広がり、前記チューブ１１の胴部１２他端部が挟持溝２５内に容易に挿入される。そして、チューブ１１の胴部１２他端部が挟持溝２５内に完全に挿入されたとき、前記挿入口部２７が再度幅狭となり、その結果、チューブ１１の胴部１２の他端部周面が両挟持側面２５ａ，２５ａに挟持される。
【００１８】
次いで、柄部２２を一方の手で把持し、親指を指掛け突部２８に押し当てるとともに、他方の手でチューブ１１の胴部１２他端部を把持した状態で、染毛用塗布具２１をチューブ１１の胴部１２の長手方向に沿ってその注出口に向けて移動させる。同染毛用塗布具２１をチューブ１１の胴部１２の長手方向に沿って移動させる過程では、図３に示すように、チューブ１１の胴部１２の一側部が前記抜止部２６に係合されていることから、挟持溝２５からのチューブ１１の抜け出しが規制される。そして、染毛用塗布具２１の移動に伴って、両挟持側面２５ａ，２５ａによりチューブ１１の胴部１２周面が平板状に押しつぶされることにより染毛剤が注出部１３へと順次移動する。
【００１９】
チューブ１１内の染毛剤を注出口まで絞り出した後、同染毛剤を注出口から押出し、載置容器としてのトレー（図示せず）に一旦移す。次に、トレー上の染毛剤を細毛２４ａに付け、刷毛部２４で毛髪を梳くことにより染毛剤が毛髪に塗布される。続いて、櫛部２３で毛髪を梳くことにより染毛剤を毛髪全域に均一に塗布することができる。
【００２０】
前記の実施形態によって発揮される効果について、以下に記載する。
・  本実施形態の染毛用塗布具２１は、柄部２２の先端に挟持溝２５を備えている。このため、チューブ１１内の染毛剤を絞り出す操作を行う場合、チューブ１１の胴部１２の他端部周面を挟持溝２５の挟持側面２５ａで挟持した状態で染毛用塗布具２１を同チューブ１１の注出口に向かって移動させることにより染毛剤が絞り出される。すなわち本実施形態では、チューブ１１の胴部１２の他端部周面を両挟持側面２５ａで押圧することにより、チューブ１１内の染毛剤が絞り出される構成となっており、該染毛剤を最後まで絞り出すのが容易である。
【００２１】
・  本実施形態の染毛用塗布具２１では、柄部２２の先端からその長さ方向に沿って挟持溝２５が細長状に設けられる構成となっている。このため、挟持溝２５の長さの確保が容易であることから、様々なチューブ１１（特に、幅広のチューブ１１）に対応する構成を容易とすることができる。
【００２２】
・  本実施形態の染毛用塗布具２１では、一方の挟持側面２５ａから他方の挟持側面２５ａに向けて突出する抜止部２６が前記挟持溝２５の開口端部に設けられている。そして、染毛剤を絞り出す操作を行う際、チューブ１１の胴部１２の一側縁が抜止部２６に係合するようになっている。従って、染毛剤を容易かつ確実に絞り出すことができる。
【００２３】
・  染毛剤の絞り出し操作に際して、チューブ１１の胴部１２の他端部周面を挟持側面２５ａで挟持した状態で染毛用塗布具２１を移動させる場合には、親指の内面を指掛け突部２８に押し当てることにより、染毛用塗布具２１に対する掌の滑りが規制される。このため、前記絞り出し操作に必要な力が染毛用塗布具２１に付与され、その結果、同操作を容易に行うことができる。
【００２４】
なお、本実施形態は、次のように変更して具体化することも可能である。
・  図４（ａ）に示すように、櫛部２３の端部（柄部２２の先端部側又は基端部側）に位置する一対の櫛歯２３ａの間に挟持溝２５を設ける構成を採用してもよい。また、図４（ｂ）に示すように、櫛部２３の中央部に位置する一対の櫛歯２３ａの間に挟持溝２５を設ける構成を採用してもよい。なおこれらの場合、挟持溝２５を構成する一対の櫛歯２３ａを有効に利用するため、抜止部２６を省略するのが好ましい。
【００２５】
・  図５に示すように、柄部２２の先端部に、前記長手方向に沿って直線状に延びる挟持長孔としての挟持孔を透設する構成を採用してもよい。なおこのとき、本実施形態における抜止部２６は省略される。
【００２６】
・  図６（ａ）に示すように、柄部２２の基端部に挟持溝２５を透設する構成を採用してもよい。この場合、同挟持溝２５は柄部２２の基端から長手方向に沿って延びるように設けられるとともに、その一端が柄部２２の基端縁に開口されている。また図６（ｂ）に示すように、柄部２２の基端部に、前記長手方向に沿って直線状に延びる挟持長孔としての挟持孔４１を透設する構成を採用してもよい。なおこのとき、抜止部２６は省略される。
【００２７】
・  図７（ａ）に示すように、挟持溝２５を構成する一対の挟持側面２５ａを滑らかな湾曲状に配置する構成を採用してもよい。この場合、両挟持側面２５ａ間の間隔が均一となるように構成するのが好ましい。また、図７（ｂ）に示すように、柄部２２の先端部に、湾曲状に延びる挟持長孔としての挟持孔４１を透設する構成を採用してもよい。なおこのとき、抜止部２６は省略される。
【００２８】
・  本実施形態の柄部２２に挟持溝２５を２つ以上設ける構成を採用してもよい。また、本実施形態の柄部２２に上記挟持孔４１を２つ以上設ける構成を採用してもよい。これらのように構成した場合、複数のチューブ１１の染毛剤を同時に絞り出すことができる。
【００２９】
・  本実施形態の抜止部２６に加えて、他方の挟持側面２５ａから一方の挟持側面２５ａに向けて突出する別の抜止部を設ける構成を採用してもよい。すなわち、挟持溝２５の開口端部には一対の抜止部が設けられる。このとき、各挟持側面２５ａ間の間隔を、挟持溝２５内方（挟持溝２５の端面２５ｂ側）に向かうに従い幅狭となるように構成するのが好ましい。
【００３０】
・  前記指掛け突部２８の代わりに、滑り規制手段として指掛け凹部を柄部２２の中央部に設ける構成を採用してもよい。該指掛け凹部は、柄部２２の長手方向に所定間隔をおいて複数バーコード状に凹設される。
【００３１】
・  前記櫛部２３又は刷毛部２４のいずれか一方を省略してもよい。
・  前記柄部２２は手で把持できる形状であればよく、例えば円柱状、四角柱状等に形成されていてもよい。
【００３２】
さらに、前記実施形態より把握できる技術的思想について以下に記載する。
・  前記塗布部を複数の細毛を備えた刷毛部から構成したことを特徴とする請求項１に記載の染毛具。このように構成した場合、染毛剤を毛髪により均一に塗布することが容易である。
【００３３】
・  前記柄部の略中央部に凹凸形状をなす滑り規制手段を設けたことを特徴とする請求項１から請求項５のいずれか一項に記載の染毛具。このように構成した場合、染毛剤の絞り出し操作をさらに容易とすることができる。
【００３４】
・  前記柄部に挟持長孔を複数設けたことを特徴とする請求項１から請求項５のいずれか一項に記載の染毛具。
・  請求項１から請求項５のいずれか一項に記載の染毛具と、前記注出部から注出される染毛剤を載せるための載置容器とからなることを特徴とする染毛キット。
【図面の簡単な説明】
【００３５】
【図１】本実施形態の染毛用塗布具を示す正面図。
【図２】本実施形態のチューブ内の染毛剤を絞り出す操作を示す斜視図。
【図３】本実施形態のチューブ内の染毛剤を絞り出す操作を示す部分拡大図。
【図４】（ａ）及び（ｂ）は本実施形態以外の染毛用塗布具を示す正面図。
【図５】本実施形態以外の染毛用塗布具を示す正面図。
【図６】（ａ）及び（ｂ）は本実施形態以外の染毛用塗布具を示す正面図。
【図７】（ａ）及び（ｂ）は本実施形態以外の染毛用塗布具を示す正面図。
【符号の説明】
【００３６】
１１…チューブ、１３…注出部、２１…染毛用塗布具、２２…柄部、２３…塗布部としての櫛部、２４…塗布部としての刷毛部、２５…挟持長孔としての挟持溝、２５ａ…挟持側面、２６…抜止部、４１…挟持長孔としての挟持孔。
【図１】
2005160537.tif 000003
【図２】
2005160537.tif 000004
【図３】
2005160537.tif 000005
【図４】
2005160537.tif 000006
【図５】
2005160537.tif 000007
【図６】
2005160537.tif 000008
【図７】
2005160537.tif 000009